(57)【要約】【課題】車両用パワーユニット支持装置において、車両の操縦安定性を高め、乗り心地を良くする。【解決手段】車両用パワーユニット支持装置６０は、動力源５１と減速機５２とを車幅方向に並べて互いに結合した構成の横置き型のパワーユニット５０を、パワーユニット収容室に収容し、少なくともパワーユニットの車幅方向における両側に配置された動力源側マウント６４及び減速機側マウント６５によって、車体にパワーユニットを支持したものである。左右のサイドマウント６４，６５は、パワーユニットの重心Ｇｃよりも上方にある。車両１０を正面から見たときに、動力源側マウント６４のばね軸線Ｖｒ１と減速機側マウント６５のばね軸線Ｖｒ２とは、パワーユニットの重心Ｇｃの位置よりも上方で交差するように、それぞれ傾斜している。パワーユニット支持装置６０全体の弾性中心Ｅｄは、重心よりも下方にある。【選択図】図６
2007302014.tif 000002
【特許請求の範囲】
【請求項１】
動力源の一端に減速機が結合された構成のパワーユニットを、車両のパワーユニット収容室に収容し、少なくとも前記パワーユニットの車幅方向における両側に配置された左右のサイドマウントによって、車体に前記パワーユニットを支持した車両用パワーユニット支持装置において、
前記左右のサイドマウントを、前記パワーユニットの重心よりも上方に配置し、
前記車両を正面から見たときに、前記左のサイドマウントのばね軸線と前記右のサイドマウントのばね軸線とを、前記パワーユニットの重心の位置よりも上方で交差するように、それぞれ傾斜させ、
前記パワーユニット支持装置全体の弾性中心を、前記重心の位置よりも下方に設定したことを特徴とする車両用パワーユニット支持装置。
【請求項２】
前記パワーユニットは、前記動力源と前記減速機とを車幅方向に並べて互いに結合した構成であることを特徴とした請求項１記載の車両用パワーユニット支持装置。
【発明の詳細な説明】
【技術分野】
【０００１】
本発明は、エンジン等の動力源の一端に減速機が結合された構成の、パワーユニットを車体にマウントするためのパワーユニット支持装置に関する。
【背景技術】
【０００２】
一般的な車両のパワーユニットとしては、縦置き型パワーユニットと横置き型パワーユニットとがある。縦置き型パワーユニットは、動力源と減速機とを車体前後方向に並べて互いに結合した構成である。
【０００３】
一方、横置き型パワーユニットは、動力源と減速機とを車幅方向に並べて互いに結合した構成である。このような横置き型パワーユニットは、例えば、エンジンのクランク軸を車幅方向に延ばし、その先端に減速機たるトランスミッションの入力軸を連結したものである。横置き型パワーユニットを車両のパワーユニット収容室（エンジンルーム）に収容するので、パワーユニット収容室の前後方向の長さを小さくすることができる。
このような横置き型パワーユニットを車体にマウントするための、パワーユニット支持装置が各種知られている（例えば、特許文献１参照。）。
【特許文献１】特開２００４−１４８８４３公報
【０００４】
特許文献１に示す従来の車両用パワーユニット支持装置を、次の図９に基づいて説明する。図９（ａ），（ｂ）は従来の車両用パワーユニット支持装置の説明図である。（ａ）は車両のパワーユニット及びパワーユニット支持装置の平面構成を示し、（ｂ）は車両のパワーユニット及びパワーユニット支持装置の背面構成を示す。
【０００５】
従来の車両用パワーユニット支持装置２００は、エンジン２０１とトランスミッション２０２とを車幅方向に並べて互いに結合することで構成された横置き型パワーユニット２０３を、サブフレーム２０４を介して車体２０５にマウントしたというものである。
詳しくは、エンジン２０１の重心２１１よりも下方でサブフレーム２０４に取り付けられたフロントマウント２１２、リヤマウント２１３並びにトランスロアマウント（図示せず）により、パワーユニット２０３の静荷重を受けることができる。
さらに、エンジン２０１の重心２１１よりも上方で車体２０５に取り付けられた左右のマウント（サイドエンジンマウント２１４並びにトランスアッパマウント２１５）により、パワーユニット２０３を支持することができる。
【０００６】
ところで、車両２００の操縦安定性を高めるとともに乗り心地を良くするには、パワーユニット２０３の振動が車体２０５に伝達されることを抑制するだけではなく、走行中にパワーユニット２０３の挙動が車体２０５に影響を与えないことが求められる。
例えば、車両２００を左又は右へ旋回させたときには、旋回中の車両２００に遠心力がかかる。このときに、パワーユニット２０３にも遠心力がかかる。車両２００の操縦安定性や乗り心地を十分に高めるには、重量物であるパワーユニット２０３の挙動が車体２０５に及ぼす影響を、抑制することが好ましい。
【発明の開示】
【発明が解決しようとする課題】
【０００７】
本発明は、車両用パワーユニット支持装置において、車両の操縦安定性を高めるとともに乗り心地を良くすることができる技術を提供することを課題とする。
【課題を解決するための手段】
【０００８】
請求項１に係る発明では、動力源の一端に減速機が結合された構成のパワーユニットを、車両のパワーユニット収容室に収容し、少なくともパワーユニットの車幅方向における両側に配置された左右のサイドマウントによって、車体にパワーユニットを支持した車両用パワーユニット支持装置において、左右のサイドマウントを、パワーユニットの重心よりも上方に配置し、車両を正面から見たときに、左のサイドマウントのばね軸線と右のサイドマウントのばね軸線とを、パワーユニットの重心の位置よりも上方で交差するように、それぞれ傾斜させ、パワーユニット支持装置全体の弾性中心を、重心の位置よりも下方に設定したことを特徴とする。
【０００９】
請求項２に係る発明では、請求項１において、パワーユニットは、動力源と減速機とを車幅方向に並べて互いに結合した構成であることを特徴とする。
【発明の効果】
【００１０】
請求項１に係る発明では、パワーユニットの重心よりも上方に配置された、左のサイドマウントのばね軸線と右のサイドマウントのばね軸線とを、パワーユニットの重心の位置よりも上方で交差するように、それぞれ傾斜させるだけの簡単な構成によって、パワーユニット支持装置全体の弾性中心を最適な高さに自由に設定することができる。従って、パワーユニット支持装置全体の弾性中心を下方に移動させて、パワーユニットの重心の位置よりも下方に設定することができる。
【００１１】
このため、例えば、車両を旋回させたときに、パワーユニット６０にかかる遠心力によるモーメントの方向を、車体のローリング方向（車体の前後軸周りの回転運動の方向）に合わせることができる。この結果、パワーユニットのローリング方向を、車体のローリング方向に合わせることができる。従って、車体のローリングをパワーユニットのローリングによって打ち消す作用がない。このように、走行中に重量物であるパワーユニットの挙動が車体に及ぼす影響を、抑制することができる。このため、車両の操縦安定性を一層高めるとともに、乗り心地を一層良くすることができる。
【００１２】
請求項２に係る発明では、動力源と減速機とを車幅方向に並べて互いに結合した、いわゆる横置き型パワーユニットを車体にマウントするものである。
一般に、車両に横置き型パワーユニットを搭載した場合には、縦置き型パワーユニットを搭載する場合に比べて、前後の車軸のうち、パワーユニットが配置された方の車軸に加わる荷重は大きくなる（荷重が集中する）。パワーユニットの挙動が車体に及ぼす影響は、サスペンションを介して車軸にも及ぼすので、荷重が集中することは、車両の操縦安定性に影響を及ぼすことになる。
【００１３】
これに対して、請求項２に係る発明によれば、車両に横置き型パワーユニットを搭載した場合であっても、パワーユニットのローリング方向を車体のローリング方向と同じにすることができる。このため、車両の操縦安定性を、より一層高めることができる。
【発明を実施するための最良の形態】
【００１４】
本発明を実施するための最良の形態を、添付図に基づいて以下に説明する。なお、「前」、「後」、「左」、「右」、「上」、「下」は運転者から見た方向に従い、Ｆｒは前側、Ｒｒは後側、Ｌは左側、Ｒは右側、Ｕｐは上側、Ｄｗは下側、ＣＬは車幅中心（車体中心、車幅中心線）を示す。
図１は本発明に係る車両の前部及びパワーユニット支持装置の正面図である。図２は本発明に係る車両の前部及びパワーユニット支持装置の平面図である。図３は本発明に係る車両の前部及びパワーユニット支持装置の斜視図である。
【００１５】
図１及び図２に示すように、車両１０は車体２０の前部に備えたパワーユニット収容室３１（図１に示すエンジンルーム３１）にパワーユニット５０を収容し、このパワーユニット５０のエンジン５１で図示せぬ前輪を駆動する駆動方式の、フロントエンジン・フロントドライブ車と称する自動車である。
なお、車両１０は、エンジン５１で後輪を駆動する駆動方式のフロントエンジン・リヤドライブ車や、エンジン５１で前輪並びに後輪を駆動する駆動方式の４輪駆動車と称するものであってもよい。
【００１６】
車体２０の前部は、前後に延びる左右のフロントサイドフレーム２１Ｌ，２１Ｒと、これらのフロントサイドフレーム２１Ｌ，２１Ｒの上方で前後に延びる左右のアッパフレーム２２Ｌ，２２Ｒと、左右のフロントサイドフレーム２１Ｌ，２１Ｒの後端部から後方へ延びる左右のフロアフレーム２３Ｌ，２３Ｒとを、主要な構成メンバとした車体フレームである。左右のフロントサイドフレーム２１Ｌ，２１Ｒは後端部の内側面に、それぞれブラケット２４Ｌ，２４Ｒ（図２参照）を備える。２５Ｌ，２５Ｒはサイドアウトリガーである。
【００１７】
このような車体２０は、図１〜図３に示すように、左右のフロントサイドフレーム２１Ｌ，２１Ｒの前部と、左右のブラケット２４Ｌ，２４Ｒとに、前後左右４個の防振用弾性ブッシュ３２・・・を介して、フロントサブフレーム４０を吊り下げた構成である。
【００１８】
フロントサブフレーム４０は、前後に延びる平面視略矩形状を呈し、車体２０の前後方向に延びる左右の縦メンバ４１Ｌ，４１Ｒと、これらの縦メンバ４１Ｌ，４１Ｒの前端間に掛け渡すべく車体２０の左右方向に延びる前部横メンバ４２と、左右の縦メンバ４１Ｌ，４１Ｒの後端間に掛け渡すべく車体の左右方向に延びる後部横メンバ４３とからなる。
このフロントサブフレーム４０には、図示せぬフロントサスペンション及びステアリングギヤボックスを取付けることができる。このようなフロントサブフレーム４０は、車体２０の一部であるので、特に説明をしない場合には車体２０にフロントサブフレーム４０を含むものとする。
【００１９】
図１及び図２に示すように、パワーユニット５０は、右側のエンジン５１と左側のトランスミッション５２とを車幅方向に並べて互いに結合した構成、つまり、エンジン５１の一端にトランスミッション５２が結合された構成の、いわゆる横置き型のパワーユニットである。エンジン５１は、出力軸を車幅方向に向けた動力源である。トランスミッション５２は、入力軸をクラッチ等を介してエンジン５１の出力軸に連結した減速機兼変速機である。
車体２０に横置き型パワーユニット５０をパワーユニット支持装置６０によってマウントすることができる。
【００２０】
図１〜図３に示すように、パワーユニット支持装置６０は、動力源前下部側マウント６１、動力源後下部側マウント６２、減速機サイド下側マウント６３、動力源側マウント６４及び減速機側マウント６５を設けた構成である。
【００２１】
動力源前下部側マウント６１、動力源後下部側マウント６２及び減速機サイド下側マウント６３は、パワーユニット５０の重心Ｇｃ（図１参照）の位置よりも下方に配置されて、パワーユニット５０の静荷重を支持する、すなわち、重量を支える静荷重支持マウントである。
【００２２】
一方、動力源側マウント６４及び減速機側マウント６５は、パワーユニット５０の重心Ｇｃ（図１参照）の位置よりも上方に配置された支持部材であり、パワーユニット５０の静荷重を支持しない又はほぼ支持しない。つまり、動力源側マウント６４は、エンジン５１（つまり、動力源）のうち、トランスミッション５２とは反対側の端部５１ａに配置された支持部材である。減速機側マウント６５は、トランスミッション５２（つまり、減速機）のうち、エンジン５１とは反対側の端部５２ａに配置された支持部材である。
【００２３】
動力源前下部側マウント６１は、車幅中心ＣＬの近傍で下端部をフロントサブフレーム４０の前部横メンバ４２に取り付けて、エンジンブラケット７１を介してエンジン５１の前下部を支持する部材である。この動力源前下部側マウント６１は、例えば上下軸方向の減衰軸線を有する１方向液封エンジンマウントからなる。
【００２４】
動力源後下部側マウント６２は、車幅中心ＣＬの近傍で下端部をフロントサブフレーム４０の後部横メンバ４３に取り付けて、エンジンブラケット７２を介してエンジン５１の後下部を支持する部材である。この動力源後下部側マウント６２は、例えばラバーマウントからなる。
【００２５】
減速機サイド下側マウント６３は、下端部をフロントサブフレーム４０の左の縦メンバ４１Ｌに取り付けて、減速機ブラケット（図示せず）を介してトランスミッション５２の左下部を支持する部材である。この減速機サイド下側マウント６３は、例えばラバーマウントからなる。
【００２６】
動力源側マウント６４は、下端部を右のアッパフレーム２２Ｒに取り付けて、エンジンブラケット７４を介してエンジン５１の右上部５１ａ（すなわち、エンジン５１のうち、トランスミッション５２とは反対側の端部５１ａ）を支持する、右のサイドマウントである。
【００２７】
減速機側マウント６５は、下端部を左のアッパフレーム２２Ｌに取り付けて、減速機ブラケット７５を介してトランスミッション５２の左上部５２ａ（すなわち、トランスミッション５２のうち、エンジン５１とは反対側の端部５２ａ）を支持する、左のサイドマウントである。
【００２８】
次に、動力源側マウント６４の詳細な構成を説明する。図４は本発明に係る動力源側マウントの断面図である。図５は図４の５−５線断面図である。
図４及び図５に示すように、動力源側マウント６４は、車体２０とエンジン５１（図１参照）との間に配置され、エンジン５１を、振動を防止しつつ支持する防振支持機構であり、２方向液封マウントの機能を有する。従って、動力源側マウント６４は、所定の上下軸方向の減衰軸線Ｖｒ１（ばね軸線Ｖｒ１）及びこの上下軸方向の減衰軸線Ｖｒ１に対する軸直角方向の減衰軸線Ｈｏ１を有する。
ここで、減衰軸線Ｖｒ１に対する軸直角方向の減衰軸線Ｈｏ１とは、減衰軸線Ｖｒ１に対して直角な方向に延びる軸線のことである。
【００２９】
詳しく述べると、動力源側マウント６４は、エンジン５１に取付ける第１取付部材１０１と、車体２０に取付ける筒状の第２取付部材１０２と、これらの第１・第２取付部材１０１，１０２間を連結した弾性部材１０３と、この弾性部材１０３から距離を隔てて第２取付部材１０２に固定したダイヤフラム１０４と、少なくとも弾性部材１０３及びダイヤフラム１０４により区画した第１液室１０５と、この第１液室１０５を弾性部材１０３側の主液室１０６及びダイヤフラム１０４側の副液室１０７に仕切るように第２取付部材１０２に固定した仕切部材１０８とを備える。
【００３０】
これらの第１・第２取付部材１０１，１０２、弾性部材１０３、ダイヤフラム１０４、第１液室１０５及び仕切部材１０８は、動力源側マウント６４における上下軸方向の減衰軸線Ｖｒ１上に配列したものである。主液室１０６及び副液室１０７は作動液Ｌｑを封入する空間である。
【００３１】
第１取付部材１０１は、エンジンブラケット７４を介してエンジン５１に取付ける金属製部材である。
第２取付部材１０２は、弾性部材１０３を連結した金属製筒部材１１１と、この金属製筒部材１１１を圧入した金属製ブラケット１１２と、この金属製ブラケット１１２を支持するとともに車体２０に取付けるように構成した樹脂製ブラケット１１３とからなる。
【００３２】
弾性部材１０３は、第１取付部材１０１と第２取付部材１０２との間で伝達される振動を、弾性変形することにより吸収するゴムブロックである。
この弾性部材１０３は、第１取付部材１０１を一体化した上端部から下端部にかけて概ね円柱状を呈した部材であって、下端部から下方へ大きく開放した下部空洞部１２１と、側部から側方へ大きく開放した前後一対又は左右一対の側部空洞部（第１側部空洞部１２２及び第２側部空洞部１２３）とを有する。
【００３３】
図５に示すように、弾性部材１０３を上下方向から見たときに、弾性部材１０３の軸心Ｖｒ１（すなわち、上下軸方向の減衰軸線Ｖｒ１）を通る一方の直線を第１線Ｌ１とし、軸心Ｖｒ１を通り第１線Ｌ１に直交する直線を第２線Ｌ２とする。第１・第２側部空洞部１２２，１２３は、第１線Ｌ１に対して、互いに線対称形である。
第２線Ｌ２は、上下軸方向の減衰軸線Ｖｒ１に対する軸直角方向の減衰軸線である。以下、第２線Ｌ２のことを、適宜「上下軸方向の減衰軸線Ｖｒ１に対する軸直角方向の減衰軸線Ｈｏ１」と言い換えることにする。
【００３４】
図４に示すように、ダイヤフラム１０４は、金属製筒部材１１１の下端（車体２０側）を塞ぐとともに、仕切部材１０８側へ凸となるように湾曲した、薄膜状ゴム材等の弾性材からなり、動力源側マウント６４の軸方向に変位可能である。
【００３５】
仕切部材１０８は、外周面に連通路１０９を形成した円盤状の部材である。連通路１０９は、主液室１０６と副液室１０７との間を連通するオリフィスの機能を有する。以下、連通路１０９のことを「第１オリフィス１０９」と言い換えることにする。
【００３６】
図４及び図５に示すように、金属製筒部材１１１は、内部に弾性部材１０３、ダイヤフラム１０４、仕切部材１０８、側部仕切り部材１３０を組付けた部材である。
【００３７】
側部仕切り部材１３０は、弾性部材１０３に液封性を確保しつつ嵌合することによって取付けたものである。側部仕切り部材１３０と第１側部空洞部１２２とによって第１側部液室１３１を構成し、側部仕切り部材１３０と第２側部空洞部１２３とによって第２側部液室１３２を構成した。第１側部液室１３１及び第２側部液室１３２の組合せ構造は第２液室１３３をなす。第２液室１３３は、作動液Ｌｑを封入する空間である。
【００３８】
さらに側部仕切り部材１３０は、外周面に迷路状の連通路１３４を形成した平面視略Ｃ形状の部材である。この連通路１３４は、第１側部液室１３１と第２側部液室１３２との間を連通するオリフィスの機能を有する。以下、連通路１３４のことを「第２オリフィス１３４」と言い換えることにする。
【００３９】
第２オリフィス１３４の一端１３４ａは、Ｃ形の一方の切欠き端１３５の近傍に且つ上部で、内外貫通した貫通孔である。また、第２オリフィス１３４の他端１３４ｂは、側部仕切り部材１３０において一端１３４ａの斜め下方で、内外貫通した貫通孔である。
このような第２オリフィス１３４は、一端１３４ａから側部仕切り部材１３０の外周面に沿って平面視時計回りに回り、他方の切欠き端１３６の近傍で下方へ降りた後に、元の一方の切欠き端１３５側へ平面視反時計回りに回り、その途中で若干上に延びた後に、他端１３４ｂに連なる。一端１３４ａは第１側部空洞部１２２に連通し、他端１３４ｂは第２側部空洞部１２３に連通する。
【００４０】
次に、上記構成の動力源側マウント６４による振動減衰作用について説明する。
図４に示すように、エンジン５１（図１参照）から動力源側マウント６４に軸方向（軸心Ｖｒ１の方向）の振動が作用した場合には、作動液Ｌｑが第１オリフィス１０９を通って主・副液室１０６，１０７間を流れるとともに、弾性部材１０３が弾性変形することによって、振動を減衰させることができる。
【００４１】
また、エンジン５１から動力源側マウント６４に、軸直角方向の減衰軸線Ｈｏ１の振動や荷重が作用した場合には、作動液Ｌｑが第２オリフィス１３４を通って第１・第２側部液室１０１，１０２間を流れるとともに、弾性部材１０３が弾性変形することによって、振動や荷重を吸収することができる。
【００４２】
次に、上記構成の動力源側マウント６４及び減速機側マウント６５の配置関係について説明する。
図１〜図３に示すように、減速機側マウント６５は、動力源側マウント６４と実質的に同じ構成であり、動力源側マウント６４とは上下逆向きにして配置したものである。すなわち、減速機側マウント６５は、第１取付部材１０１（図４参照）を車体２０の左のアッパフレーム２２Ｌに取付けるとともに、第２取付部材１０２（図４参照）を減速機ブラケット７５を介してトランスミッション５２に取付けた構成である。
【００４３】
図６は本発明に係る車両用パワーユニット支持装置の正面模式図であり、図１に対応させて模式的に表した。図７は本発明に係る車両用パワーユニット支持装置の平面模式図であり、図２に対応させて模式的に表した。
【００４４】
既に述べたことであるが、図６及び図７に示すように、動力源側マウント６４は、所定の上下軸方向の減衰軸線Ｖｒ１（ばね軸線Ｖｒ１、弾性軸線Ｖｒ１）及びこの上下軸方向の減衰軸線Ｖｒ１に対する軸直角方向の減衰軸線Ｈｏ１を有する。
また、図６及び図７に示すように、減速機側マウント６５も、所定の上下軸方向の減衰軸線Ｖｒ２（ばね軸線Ｖｒ２、弾性軸線Ｖｒ２）及びこの上下軸方向の減衰軸線Ｖｒ２に対する軸直角方向の減衰軸線Ｈｏ２を有する。
減速機側マウント６５の上下軸方向の減衰軸線Ｖｒ２は、動力源側マウント６４の上下軸方向の減衰軸線Ｖｒ１と同じ軸線である。減速機側マウント６５の軸直角方向の減衰軸線Ｈｏ２も、動力源側マウント６４の軸直角方向の減衰軸線Ｈｏ１と同じ軸線である。
【００４５】
ここで、減衰軸線Ｖｒ１，Ｖｒ２，Ｈｏ１，Ｈｏ２とは、各マウント６４，６５における減衰方向の軸線のことであり、ばね軸線又は弾性軸線とも言う。ばね軸線や弾性軸線とは、各マウント６４，６５における弾性方向の軸線（中心線）のことであり、いわゆる、荷重の方向と弾性変位の方向とが一致して、角変位を生じない軸のことを言う。
【００４６】
図６に示すように、車両１０を正面から見たときに、動力源側マウント６４の上下軸方向の減衰軸線Ｖｒ１と、減速機側マウント６５の上下軸方向の減衰軸線Ｖｒ２とは、パワーユニット５０の重心Ｇｃの位置よりも上方で交差するように、それぞれ傾斜している。
【００４７】
詳しくは、動力源側マウント６４の上下軸方向の減衰軸線Ｖｒ１は、鉛直線ＶＬに対して車幅中心線ＣＬ側に且つ車体上方に傾斜角θ１だけ傾斜している。減速機側マウント６５の上下軸方向の減衰軸線Ｖｒ２は、鉛直線ＶＬに対して車幅中心線ＣＬ側に且つ車体上方に傾斜角θ２だけ傾斜している。例えば、傾斜角θ１に対して傾斜角θ２は同一である。上下軸方向の減衰軸線Ｖｒ１，Ｖｒ２同士の交点Ｐｖは、パワーユニット５０の重心Ｇｃの位置よりも上方にある。
【００４８】
上述のように、パワーユニット支持装置６０は、パワーユニット５０の重心Ｇｃよりも上方に配置された、動力源側マウント６４（右のサイドマウント６４）のばね軸線Ｖｒ１と、減速機側マウント６５（左のサイドマウント６５）のばね軸線Ｖｒ２とを、パワーユニット５０の重心Ｇｃの位置よりも上方で、交差させた構成である。
当然のことながら、上下軸方向のばね軸線Ｖｒ１，Ｖｒ２同士の交点Ｐｖは、パワーユニット５０の重心Ｇｃの位置よりも上方の位置となる。この結果、動力源側マウント６４及び減速機側マウント６５だけから定まる弾性中心は、交点Ｐｖの位置になる。
交点Ｐｖの高さを適宜設定することによって、全てのマウント６１〜６５の複合的な弾性中心Ｅｄ、つまり、パワーユニット支持装置６０全体の弾性中心Ｅｄを、最適な高さに自由に設定することができる。
【００４９】
本発明においては、図１及び図６に示すように、パワーユニット支持装置６０全体の弾性中心Ｅｄを下方に移動させて、パワーユニット５０の重心Ｇｃの位置よりも下方に設定したことを特徴とする。すなわち、パワーユニット支持装置６０全体の弾性中心Ｅｄの位置が、パワーユニット５０の重心Ｇｃの位置よりも下方にくるように、上下軸方向の減衰軸線Ｖｒ１，Ｖｒ２同士の交点Ｐｖの高さを設定した。
【００５０】
図７に示すように、各軸直角方向の減衰軸線Ｈｏ１，Ｈｏ２は、車両１０を上から見たときに、車両１０の前後方向及び車幅方向に対してそれぞれ傾斜している。しかも、車両１０を上から見たときに、各軸直角方向の減衰軸線Ｈｏ１，Ｈｏ２は、互いに直角に交差するように傾斜している。
【００５１】
詳しくは、車体前後方向に延びる車幅中心線ＣＬに対して平行な水平線をＨＬとしたときに、動力源側マウント６４の軸直角方向の減衰軸線Ｈｏ１は、水平線ＨＬに対して車幅中心線ＣＬ側に且つ車体後方に傾斜角α１だけ傾斜している。減速機側マウント６５の軸直角方向の減衰軸線Ｈｏ２は、水平線ＨＬに対して車幅中心線ＣＬ側に且つ車体後方に傾斜角α２だけ傾斜している。例えば、傾斜角α１は４５°であり、傾斜角α１に対して傾斜角α２は同一である。軸直角方向の減衰軸線Ｈｏ１，Ｈｏ２同士の交点はＰｈである。
【００５２】
図８（ａ），（ｂ）はパワーユニット支持装置を備えた車両の作用図であり、正面から見た車両を図６に対応させて模式的に表した。（ａ）は比較例の車両１０Ａを示し、（ｂ）は実施例の車両１０を示した。
【００５３】
図８（ａ）に示すように、比較例の車両１０Ａに備えたパワーユニット支持装置６０は、全てのマウント６１〜６３，６４Ａ，６５Ａの複合的な弾性中心Ｅｄを、パワーユニット５０の重心Ｇｃの位置よりも上方に設定したものである。左右のサイドマウント６４Ａ，６５Ａは鉛直方向を向いている。
【００５４】
車両１０Ａを左右一方へ旋回させたときには、旋回中の車両１０Ａに遠心力がかかるので、左右の車輪８１Ｌ，８１Ｒを懸架する各サスペンション（図示せず）のうち、旋回外側のダンパやバネは縮み、旋回内側のダンパやバネは伸びる。この結果、車体２０は旋回外側が沈み込むとともに旋回内側が持ち上がるように傾く、いわゆるロール運動（ローリング。重心を通る車体２０の前後方向軸周り回りの回転運動。）をする。すなわち、車両１０Ａの旋回走行時において、車体２０は、旋回方向とは反対方向にロール運動をする。
【００５５】
例えば、車両１０Ａを進行方向左へ旋回させたときには、車体２０は、図反時計回り（矢印Ｂｒ方向）にロール運動をする。つまり、車体２０のローリング方向（車体２０の前後方向軸周り回りの回転運動の方向）はＢｒである。このとき、パワーユニット５０には、旋回外側である、右方向への遠心力ｆｉがかかる。
【００５６】
ところで、比較例の車両１０Ａにおいては、全てのマウント６１〜６３，６４Ａ，６５Ａの複合的な弾性中心Ｅｄが、パワーユニット５０の重心Ｇｃの位置よりも上方にある。パワーユニット５０には、弾性中心Ｅｄを中心として、図時計回り（矢印Ｐｒ１方向）のモーメントが働く。このため、車体２０に対して、パワーユニット５０は弾性中心Ｅｄを中心とした図時計回り（矢印Ｐｒ１方向）のロール運動をする。車体２０のローリング方向Ｂｒに対して、パワーユニット５０のローリング方向Ｐｒ１は逆向きである。従って、パワーユニット５０のロール運動は、車体２０のロール運動を打ち消す作用をする。車両１０Ａの操縦安定性や乗り心地を十分に高めるには、重量物であるパワーユニット５０の挙動（つまり、打ち消し作用）が車体２０に及ぼす影響は、抑制されることが好ましい。
【００５７】
これに対して、図８（ｂ）に示すように、実施例のパワーユニット支持装置６０は、動力源側マウント６４の上下軸方向の減衰軸線Ｖｒ１と、減速機側マウント６５の上下軸方向の減衰軸線Ｖｒ２とを、車幅中央側に且つ上方に傾けて重心Ｇｃの上方で交差させることで、全てのマウント６１〜６５の複合的な弾性中心Ｅｄを、パワーユニット５０の重心Ｇｃよりも下方に設定したものである。
【００５８】
このため、パワーユニット５０には、弾性中心Ｅｄを中心として、図反時計回り（矢印Ｐｒ２方向）のモーメントが働く。このため、車体２０に対して、パワーユニット５０は弾性中心Ｅｄを中心とした図反時計回り（矢印Ｐｒ２方向）のロール運動をする。車体２０のローリング方向Ｂｒに対して、パワーユニット５０のローリング方向Ｐｒ２は同じである。従って、車体２０のロール運動がパワーユニット５０のロール運動によって打ち消されることはない。
【００５９】
このように、車両１０を旋回させたときに、パワーユニット６０にかかる遠心力ｆｉによるモーメントの方向を、車体のローリング方向に合わせることができる。この結果、パワーユニット５０のローリング方向Ｐｒ２を、車体２０のローリング方向Ｂｒに合わせることができる。従って、車体２０のローリングをパワーユニット５０のローリングによって打ち消す作用がない。このように、走行中に重量物であるパワーユニット５０の挙動が車体２０に及ぼす影響を、抑制することができる。このため、車両１０の操縦安定性を一層高めるとともに、乗り心地を一層良くすることができる。
【００６０】
なお、本発明は実施の形態では、車両１０は、車体２０の前部に備えたパワーユニット収容室３１にパワーユニット５０を収容した構成に限定されるものではなく、例えば、車体２０の中央部に備えたパワーユニット収容室３１にパワーユニット５０を収容した構成であってもよい。
また、パワーユニット５０は、フロントサブフレーム４０を介して車体２０にマウントする構成に限定されるものではなく、車体２０に直接マウントする構成であってもよい。
また、動力源５１はエンジンに限定されるものではなく、例えば電動モータであってもよい。減速機５２はトランスミッションに限定されるものではなく、単に減速機構だけの構成であってもよい。
【００６１】
また、パワーユニット支持装置６０は、動力源５１の一端に減速機５２が結合された構成のパワーユニット５０を、少なくともパワーユニット５０の車幅方向における両側に配置された左右のサイドマウント６４，６５によって、車体２０に支持する構成であればよい。
【００６２】
また、左右のサイドマウント６４，６５は、上下軸方向の減衰軸線Ｖｒ１，Ｖｒ２と軸直角方向の減衰軸線Ｈｏ１，Ｈｏ２とを有する２方向減衰構造であればよく、液封マウントの構成に限定されるものではなく、例えばラバーマウントの構成であってもよい。
また、左右のサイドマウント６４，６５において、第１取付部材１０１は動力源５１（又は減速機５２）と車体２０との一方に取付けるとともに、第２取付部材１０２は動力源５１（又は減速機５２）と車体２０との他方に取付ける構成であればよい。
【００６３】
また、上下軸方向の減衰軸線Ｖｒ１，Ｖｒ２の傾斜角θ１，θ２及び軸直角方向の減衰軸線Ｈｏ１，Ｈｏ２の傾斜角α１，α２の大きさは任意であり、例えば、交点Ｐｖ，Ｐｈが車幅中心線ＣＬに合致、又は、重心Ｇｃを通り車幅中心線ＣＬに平行な直線に合致する角度に設定してもよい。
【産業上の利用可能性】
【００６４】
本発明のパワーユニット支持装置６０は、車体２０の前部や中間部において、動力源５１と減速機５２とを車幅方向に並べて互いに結合した構成の横置き型のパワーユニット５０を配置し、このパワーユニット５０の静荷重を、パワーユニット５０の重心Ｇｃよりも下方に配置された静荷重支持マウント６１〜６３で支持した構成に好適である。
【図面の簡単な説明】
【００６５】
【図１】本発明に係る車両の前部及びパワーユニット支持装置の正面図である。
【図２】本発明に係る車両の前部及びパワーユニット支持装置の平面図である。
【図３】本発明に係る車両の前部及びパワーユニット支持装置の斜視図である。
【図４】本発明に係る動力源側マウントの断面図である。
【図５】図４の５−５線断面図である。
【図６】本発明に係る車両用パワーユニット支持装置の正面模式図である。
【図７】本発明に係る車両用パワーユニット支持装置の平面模式図である。
【図８】パワーユニット支持装置を備えた車両の作用図である。
【図９】従来の車両用パワーユニット支持装置の説明図である。
【符号の説明】
【００６６】
１０…車両、２０…車体、３１…パワーユニット収容室、５０…横置き型のパワーユニット、５１…動力源（エンジン）、５１ａ…動力源のうち減速機とは反対側の端部、５２…減速機（トランスミッション）、５２ａ…減速機のうち動力源とは反対側の端部、６０…パワーユニット支持装置、６１〜６３…静荷重支持マウント、６４…右のサイドマウント（動力源側マウント）、６５…左のサイドマウント（減速機側マウント）、Ｅｄ…弾性中心、Ｇｃ…パワーユニットの重心、Ｖｒ１…右のサイドマウントの上下軸方向のばね軸線、Ｖｒ２…左のサイドマウントの上下軸方向のばね軸線。
【図１】
2007302014.tif 000003
【図２】
2007302014.tif 000004
【図３】
2007302014.tif 000005
【図４】
2007302014.tif 000006
【図５】
2007302014.tif 000007
【図６】
2007302014.tif 000008
【図７】
2007302014.tif 000009
【図８】
2007302014.tif 000010
【図９】
2007302014.tif 000011